(57)【要約】【課題】インプラント体にアバットメントをテーパー雄ネジ及びテーパー雌ネジからなるテーパーネジ構造により結合固定することになり、このテーパー雄ネジ及びテーパー雌ネジからなるテーパーネジ構造によりテーパーネジ相互の固有の螺着結合強度の向上を図ることができ、インプラント体に対するアバットメントの緩みや離脱現象を未然に防止することができ、使用に伴う不快感をなくすことができるとともに使用の耐久性を高めることができる。【解決手段】歯槽骨Ｈに固定可能なインプラント体１及び人工歯冠Ｄを装着可能なアバットメント２からなり、インプラント体にアバットメントを結合固定するためのネジ構造としてテーパー雄ネジ３ｂ及びテーパー雌ネジ３ａからなるテーパーネジ構造３を用いてなる。【選択図】図１
2005270334.tif 000002
【特許請求の範囲】
【請求項１】
歯槽骨に固定可能なインプラント体及び人工歯冠を装着可能なアバットメントからなり、上記インプラント体に上記アバットメントを結合固定するためのネジ構造としてテーパー雄ネジ及びテーパー雌ネジからなるテーパーネジ構造を用いてなることを特徴とする歯科用インプラント。
【請求項２】
上記インプラント体に取付穴部を形成すると共に上記アバットメントに該取付穴部に挿入可能な挿入周面部を形成し、該取付穴部にテーパー雌ネジを形成し、該アバットメントにテーパー雄ネジを形成してなることを特徴とする請求項１記載の歯科用インプラント。
【請求項３】
上記インプラント体に取付穴部を形成すると共に上記アバットメントに該取付穴部に挿入可能な挿入周面部を形成し、該アバットメントに挿通穴部を形成し、該挿通穴部に挿通可能な固定体を形成し、該取付穴部にテーパー雌ネジを形成し、該固定体にテーパー雄ネジを形成してなることを特徴とする請求項１記載の歯科用インプラント。
【請求項４】
上記取付穴部及び上記挿入周面部を相互に嵌合可能なテーパー面に形成してなることを特徴とする請求項１〜３のいずれか１項に記載の歯科用インプラント。
【請求項５】
上記インプラント体にセルフタップネジ部を形成してなることを特徴とする請求項１〜４のいずれか１項に記載の歯科用インプラント。
【発明の詳細な説明】
【技術分野】
【０００１】
本発明は、例えば、歯根欠損等に用いられる歯科用インプラントに関するものである。
【背景技術】
【０００２】
従来この種の歯科用インプラントとして、歯槽骨に固定可能なインプラント体及び人工歯冠を装着可能なアバットメントからなり、このインプラント体にアバットメントをネジ構造により結合固定するようにしたものが知られている。
【特許文献１】特開平６−１３３９８７号公報
【発明の開示】
【発明が解決しようとする課題】
【０００３】
しかしながら上記従来構造の場合、上記ネジ構造はネジ山が円筒面上に形成された、いわゆる平行雄ネジ及ぶ平行雌ネジからなるネジ構造が採用されているため、植立術後において、アバットメントに強い咬合力が掛かることによって、インプラント体からアバットメントが緩み、がたつくおそれがあるという不都合を有している。
【課題を解決するための手段】
【０００４】
本発明はこれらの不都合を解決することを目的とするもので、本発明のうちで、請求項１記載の発明は、歯槽骨に固定可能なインプラント体及び人工歯冠を装着可能なアバットメントからなり、上記インプラント体に上記アバットメントを結合固定するためのネジ構造としてテーパー雄ネジ及びテーパー雌ネジからなるテーパーネジ構造を用いてなることを特徴とする歯科用インプラントにある。
【０００５】
又、請求項２記載の発明にあっては、上記インプラント体に取付穴部を形成すると共に上記アバットメントに該取付穴部に挿入可能な挿入周面部を形成し、該取付穴部にテーパー雌ネジを形成し、該アバットメントにテーパー雄ネジを形成してなることを特徴とするものであり、又、請求項３記載の発明は、上記インプラント体に取付穴部を形成すると共に上記アバットメントに該取付穴部に挿入可能な挿入周面部を形成し、該アバットメントに挿通穴部を形成し、該挿通穴部に挿通可能な固定体を形成し、該取付穴部にテーパー雌ネジを形成し、該固定体にテーパー雄ネジを形成してなることを特徴とするものである。
【０００６】
又、請求項４記載の発明は、上記取付穴部及び上記挿入周面部を相互に嵌合可能なテーパー面に形成してなることを特徴とするものであり、又、請求項５記載の発明は、上記インプラント体にセルフタップネジ部を形成してなることを特徴とするものである。
【発明の効果】
【０００７】
本発明は上述の如く、請求項１記載の発明にあっては、インプラント体にアバットメントをテーパー雄ネジ及びテーパー雌ネジからなるテーパーネジ構造により結合固定することになり、このテーパー雄ネジ及びテーパー雌ネジからなるテーパーネジ構造によりテーパーネジ相互の固有の螺着結合強度の向上を図ることができ、インプラント体に対するアバットメントの緩みや離脱現象を未然に防止することができ、使用に伴う不快感をなくすことができるとともに使用の耐久性を高めることができる。
【０００８】
又、請求項２記載の発明にあっては、上記インプラント体に取付穴部を形成すると共に上記アバットメントに取付穴部に挿入可能な挿入周面部を形成し、取付穴部にテーパー雌ネジを形成し、アバットメントにテーパー雄ネジを形成しているから、インプラント体にアバットメントを直接螺着結合することができると共に構造を簡素化することができ、又、請求項３記載の発明にあっては、上記インプラント体に取付穴部を形成すると共に上記アバットメントに取付穴部に挿入可能な挿入周面部を形成し、アバットメントに挿通穴部を形成し、挿通穴部に挿通可能な固定体を形成し、取付穴部にテーパー雌ネジを形成し、固定体にテーパー雄ネジを形成してなるから、インプラント体に固定体をテーパーネジ構造で螺着固定することによりアバットメントをインプラント体と固定体とで挟着固定することができ、インプラント体に対するアバットメントの相対位置の可変を容易に行うことができる。
【０００９】
又、請求項４記載の発明にあっては、上記取付穴部及び上記挿入周面部を相互に嵌合可能なテーパー面に形成してなるから、テーパー面相互のテーパー嵌合によりインプラント体に対するアバットメントの結合強度を高めることができ、又、請求項５記載の発明にあっては、上記インプラント体にセルフタップネジ部を形成してなるから、インプラント体を歯槽骨に直接ネジ込み固定することができ、インプラント施術を容易に行うことができる。
【発明を実施するための最良の形態】
【００１０】
図１乃至図８は本発明の実施の形態例を示し、図１乃至図４は第一形態例、図５乃至図８は第二形態例である。
【００１１】
図１乃至図４の第一形態例において、１はインプラント体、２はアバットメントであって、チタン、チタン合金製、アルミナ単結晶製等のものが用いられ、インプラント体１の外周部にセルフタップネジ部１ａが形成され、インプラント体１を歯槽骨Ｈに歯肉Ｓを介してセルフタップ機構により埋め込み植立固定するように形成され、又、アバットメント２は人工歯冠Ｄが接着材等により装着可能に形成されている。尚、インプラント体１を歯槽骨Ｈに接着剤等により固定したり、また、歯槽骨Ｈに直接、タップネジを形成し、タップネジにインプラント体１をねじ込み固定する方法、その他の固定方法が用いられるものである
【００１２】
この場合、インプラント体１に取付穴部１ｂを形成すると共に上記アバットメント２に取付穴部１ｂに挿入可能な挿入周面部２ａを形成し、取付穴部１ｂにテーパー雌ネジ３ａを形成し、アバットメント２にテーパー雄ネジ３ｂを形成し、かつ、この取付穴部１ｂ及び挿入周面部２ａを相互に嵌合可能なテーパー面１ｃ・２ｂに形成し、上記インプラント体１に上記アバットメント２を結合固定するためのネジ構造としてテーパー雄ネジ３ｂ及びテーパー雌ネジ３ａからなるテーパーネジ構造３を用いている。このテーパーネジとはネジ山が円すい面上に形成され、ネジ山の山の頂を結ぶ軸に平行な直線がネジの軸に対してテーパーをなすネジである。具体的には、例えば、ネジピッチ約０．４ｍｍ、呼びＭ２、ネジ山角度６０度、ネジ根元部直径約２．２ｍｍ、ネジ先端部直径約１．６ｍｍ、ネジ長さ約２．１ｍｍのテーパーネジが選択される。勿論、他の諸元のテーパーネジを用いることもできる。
【００１３】
又、この場合、上記アバットメント２の外周面に二個の周溝部２ｅ・２ｆを形成し、アバットメント２の上部外周面にアバットメント２を工具により回すための廻し溝部２ｄを形成し、インプラント体１の取付穴部１ｂにインプラント体１を工具により回すための六角穴部１ｄを形成している。
【００１４】
この実施の第一形態例は上記構成であるから、上記インプラント体１に上記アバットメントをテーパー雄ネジ３ｂ及びテーパー雌ネジ３ａからなるテーパーネジ構造３により結合固定することになり、このテーパー雄ネジ３ｂ及びテーパー雌ネジ３ａからなるテーパーネジ構造３によりテーパーネジ相互の固有の螺着結合強度の向上を図ることができ、インプラント体１に対するアバットメント２の緩みや離脱現象を未然に防止することができ、使用に伴う不快感をなくすことができるとともに使用の耐久性を高めることができる。
【００１５】
又、この場合、上記インプラント体１に取付穴部１ｂを形成すると共に上記アバットメント２に取付穴部１ｂに挿入可能な挿入周面部２ｂを形成し、取付穴部２ａにテーパー雌ネジ３ａを形成し、アバットメント２にテーパー雄ネジ３ｂを形成しているから、インプラント体１にアバットメント２を直接螺着結合することができると共に構造を簡素化することができ、又、この場合、上記取付穴部１ｂ及び上記挿入周面部２ｂを相互に嵌合可能なテーパー面１ｃ・２ｂに形成しているから、テーパー面１ｃ・２ｂ相互のテーパー嵌合によりインプラント体１に対するアバットメント２の結合強度を高めることができる。
【００１６】
又、この場合、上記インプラント体１にセルフタップネジ部１ａを形成してなるから、歯槽骨Ｈに下穴を穿った状態で、インプラント体１を歯槽骨Ｈに直接ネジ込み固定することができ、インプラント施術を容易に行うことができる。
【００１７】
又、この場合、上記アバットメント２の外周面に二個の周溝部２ｅ・２ｆを形成しているから、テーパー雄ネジ３ｂ及びテーパー雌ネジ３ａのネジ製作を容易に行うことができると共にテーパー面１ｃ・２ｂ相互のテーパー嵌合を確実に行うことができる。
【００１８】
図８の第二形態例は別例構造を示し、この場合、インプラント体１に取付穴部１ｂを形成すると共にアバットメント２に取付穴部１ｂに挿入可能な挿入周面部２ａを形成し、アバットメント２に挿通穴部２ｃを形成し、挿通穴部２ｃに挿通可能な固定体４を形成し、取付穴部１ｂにテーパー雌ネジ３ａを形成し、固定体４にテーパー雄ネジ３ｂを形成し、固定体４に頭部４ａを形成すると共に周溝部４ｂを形成し、上記インプラント体１に上記アバットメント２を結合固定するためのネジ構造としてテーパー雄ネジ３ｂ及びテーパー雌ネジ３ａからなるテーパーネジ構造３を用いている。
【００１９】
又、この場合、上記固定体４の上端部に固定体４を工具により回すための六角穴部４ｃを形成し、インプラント体１の取付穴部１ｂにインプラント体１を工具により回すための六角穴部１ｄを形成している。
【００２０】
この第二形態例にあっては、上記第一形態例と同様な作用効果を得ることができると共に上記インプラント体１に取付穴部１ｂを形成すると共に上記アバットメント２に取付穴部１ｂに挿入可能な挿入周面部２ａを形成し、アバットメントに挿通穴部２ｃを形成し、挿通穴部２ｃに挿通可能な固定体４を形成し、取付穴部１ｂにテーパー雌ネジ３ａを形成し、固定体４にテーパー雄ネジ３ｂを形成してなるから、インプラント体１に固定体４をテーパーネジ構造３で螺着固定することによりアバットメント２をインプラント体１と固定体４とで挟着固定することができ、インプラント体１に対するアバットメント２の相対位置の可変を容易に行うことができる。
【００２１】
又、この場合、上記アバットメント２の外周面に周溝部４ｂを形成しているから、テーパー雄ネジ３ｂ及びテーパー雌ネジ３ａのネジ製作を容易に行うことができると共にテーパー面１ｃ・２ｂ相互のテーパー嵌合を確実に行うことができる。
【００２２】
尚、本発明は上記実施の形態例に限られるものではなく、例えば、インプラント体１、アバットメント２の形態、材質、大きさ、テーパー雄ネジ３ｂ、テーパー雌ねじ３ａの大きさやテーパー角等は適宜設計して変更されるものである。
【００２３】
以上、所期の目的を充分達成することができる。
【図面の簡単な説明】
【００２４】
【図１】本発明の実施の第一形態例の側断面図である。
【図２】本発明の実施の第一形態例の分離側面図である。
【図３】本発明の実施の第一形態例の分離斜視図である。
【図４】本発明の実施の第一形態例の使用状態の断面図である。
【図５】本発明の実施の第二形態例の側断面図である。
【図６】本発明の実施の第二形態例の分離側面図である。
【図７】本発明の実施の第二形態例の分離斜視図である。
【図８】本発明の実施の第二形態例の使用状態の断面図である。
【符号の説明】
【００２５】
Ｈ    歯槽骨
Ｄ    人工歯冠
１    インプラント体
１ｂ    取付穴部
１ｃ    テーパー面
２    アバットメント
２ａ    挿入周面部
２ｂ    テーパーネジ面
２ｃ    挿通穴部
３    テーパーネジ構造
３ａ    テーパー雌ネジ
３ｂ    テーパー雄ネジ
４    固定体
【図１】
2005270334.tif 000003
【図２】
2005270334.tif 000004
【図３】
2005270334.tif 000005
【図４】
2005270334.tif 000006
【図５】
2005270334.tif 000007
【図６】
2005270334.tif 000008
【図７】
2005270334.tif 000009
【図８】
2005270334.tif 000010